(57)【要約】【課題】薬剤の形状に拘わらず、ロータの回転に応じて薬剤を必要個数ずつ正確に排出できる構造簡単な薬剤カセッタを提供する。【解決手段】収容部の傾斜基準底面には、ロータにおける切り欠きの回転軌跡に対応した領域のうち最も下方に位置する最下方領域よりも上方に、排出口が設けられている。さらに、前記収容部の傾斜基準底面には、前記ロータの回転方向を基準として、前記最下方領域と前記排出口との間に、前記ロータへ向かって突出した凸部が設けられている。【選択図】　図１
2004041432.tif 000002
【特許請求の範囲】
【請求項１】
収容された薬剤を所定量毎に排出し得るように構成された薬剤カセッタであって、
傾斜された基準底面と、該基準底面との共働下に薬剤収容空間を形成する側面とを有する収容部と、
回転軸線が前記収容部の基準底面と直交するように、該基準底面に対して回転可能とされたロータとを備え、
前記ロータは、収容される薬剤が挿通可能な大きさの切り欠きを有し、
前記収容部の基準底面には、前記ロータにおける前記切り欠きの回転軌跡に対応した領域のうち最も下方に位置する最下方領域よりも上方に、排出口が設けられており、
さらに、前記収容部の基準底面には、前記ロータの回転方向を基準として、前記最下方領域と前記排出口との間に、前記ロータへ向かって突出した凸部が設けられていることを特徴とする薬剤カセッタ。
【請求項２】
前記収容部は、前記基準底面を形成する底板部材と、前記側面を形成する収容部本体とを有し、
前記底板部材は前記収容部本体に着脱可能に固定されることを特徴とする請求項１に記載の薬剤カセッタ。
【請求項３】
前記切り欠きは、前記ロータの周縁に開くように形成されていることを特徴とする請求項１又は２に記載の薬剤カセッタ。
【発明の詳細な説明】
【０００１】
【発明の属する技術分野】
本発明は、収容する薬剤を所定量毎に排出し得るように構成された薬剤カセッタに関する。
【０００２】
【従来の技術】
収容する薬剤を所定量毎に排出し得るように構成された薬剤カセッタは、薬剤選択供給装置の一構成部品として使用されている。
即ち、該薬剤選択供給装置は、ドラム等の支持架台と、該支持架台に装着される複数のカセッタであって、それぞれ所定の薬剤が収容された複数のカセッタとを備えている。該カセッタは、例えば、前記支持架台に取り付けられるベース部材に着脱可能に装着される。
前記薬剤選択供給装置は、使用に際して、処方に基づくオペレータからの選択信号により、対応する一のカセッタを選択的に駆動する。これにより、該一のカセッタにおけるロータが回転し、収容された薬剤が必要量だけ自動的に排出される。
【０００３】
より詳しくは、前記カセッタは、収容部と、該収容部内において回転駆動されるロータとを備えている。該ロータには、収容する薬剤を保持する為の切り欠きが設けられている。他方、前記収容部には、該ロータの切り欠きの回転軌跡に対応した位置に排出口が設けられている。
さらに、該収容部には、前記切り欠きに保持された薬剤のうち一度に排出させる数量を制限する係止片を有している。例えば、ロータの回転に応じて薬剤を一錠毎に排出させる場合には、前記係止片は、該ロータの切り欠きに保持された薬剤のうち最も下方に位置する第１薬剤の高さに対応した位置に設けられている。斯かる構成により、前記ロータが回転されて前記切り欠きが収容部に設けられた排出口に位置合わせされると、該切り欠きに保持された第１薬剤のみが排出口から排出される。
【０００４】
【発明が解決しようとする課題】
ところで、前記カセッタに収容される薬剤は種々の形状を有している。例えば、錠剤を半分に切断してなる半錠の場合には、前記切り欠きに保持される際の姿勢が一定ではなく、底面を下にした姿勢（図６（ａ）参照）や切断面を下にした起立姿勢（図６（ｂ）参照）をとり得る。従って、斯かる薬剤の場合に前記係止片を設けても、該係止片より下方に複数の薬剤が入り込んだり、若しくは、該係止片によって薬剤が損傷を受ける恐れがある。
本発明は、斯かる従来技術に鑑みなされたものであり、薬剤の形状に拘わらず、ロータの回転に応じて薬剤を必要個数ずつ正確に排出できる構造簡単な薬剤カセッタを提供することを一の目的とする。
【０００５】
【課題を解決するための手段】
本発明は、前記目的を達成するために、収容された薬剤を所定量毎に排出し得るように構成された薬剤カセッタであって、傾斜された基準底面と、該基準底面との共働下に薬剤収容空間を形成する側面とを有する収容部と、回転軸線が前記収容部の基準底面と直交するように、該基準底面に対して回転可能とされたロータとを備え、前記ロータは、収容される薬剤が挿通可能な大きさの切り欠きを有し、前記収容部の基準底面には、前記ロータにおける前記切り欠きの回転軌跡に対応した領域のうち最も下方に位置する最下方領域よりも上方に、排出口が設けられており、さらに、前記収容部の基準底面には、前記ロータの回転方向を基準として、前記最下方領域と前記排出口との間に、前記ロータへ向かって突出した凸部が設けられている薬剤カセッタを提供する。
【０００６】
好ましくは、前記収容部は、前記基準底面を形成する底板部材と、前記側面を形成する収容部本体とを有し、前記底板部材は前記収容部本体に着脱可能に固定され得る。
又、好ましくは、前記切り欠きは、前記ロータの周縁に開くように形成され得る。
【０００７】
【発明の実施の形態】
以下に、本発明に係る薬剤カセッタの好ましい一実施の形態について、添付図面を参照しつつ説明する。
図１は、本実施の形態に係る薬剤カセッタ１がベース部材１００に載置された状態で、ドラム等の支持架台２００に取り付けられている様子を示す部分縦断側面図である。
【０００８】
前記ベース部材１００は、好ましくは、前記支持架台２００にネジ連結されるように構成され、前記薬剤カセッタ１は、弾性係合又は磁力係合を介して、該ベース部材１００に着脱可能に装着される。
【０００９】
前記カセッタ１は、薬剤収容空間を有する収容部１０と、該薬剤収容空間内に配設されるロータ２０とを備えている。
前記収容部１０は、水平面に対して所定角度（例えば、４０〜５０゜）傾斜された基準底面１１と、該基準底面１１との共働下に前記薬剤収容空間を形成する側面１２とを有している。
好ましくは、基準底面１１を平面視円形状とし、且つ、前記側面１２を該基準平面１１の周縁から該基準平面に対して直交するように延在させることができ、これにより、前記薬剤収容空間を略円筒形状とすることができる。
【００１０】
図２に図１におけるＩＩ矢視図を示す。又、図３に図２におけるＩＩＩ−ＩＩＩ線断面図を示す。
前記ロータ２０は、回転軸線Ｘが前記基準底面１１と直交するように、該基準底面１１上に位置するディスク部２１と、該ディスク部２１の中心から前記薬剤収容空間とは反対側に延び、前記基準底面１１に設けられた支持孔に回転自在に挿通される支持部２５とを備えている
【００１１】
より詳しくは、前記支持部２５には、一端部に従動側ベベルギヤ２７が設けられた従動軸２６が固着されており、該従動側ベベルギヤ２７は、前記ベース部材１００に収容されたモータ（図示せず）に作動的に連結された駆動側ベベルギヤ１１０と噛合している。
なお、当然ながら、前記モータと前記ロータとの間の伝動機構は、図示の形態におけるように、歯車を利用したものの他、ベルト又は自在継手を利用して構成し得る。
【００１２】
図２及び図３に示すように、前記ロータ２０のディスク部２１には、収容される薬剤を所定個数（例えば１個）ずつ挿通可能な切り欠き２２が設けられている。即ち、該切り欠き２２内に入り込んだ薬剤だけが該切り欠き２２と基準底面１１とにより保持されて、ディスク部２１の回転に伴って周方向に搬送される。
【００１３】
好ましくは、前記切り欠き２２は、該ディスク部２１の周縁に開くように形成される。このように構成することによって、薬剤収容部内の下方領域に集まった薬剤を効率良く切り欠き２２内に入り込ませることができる。
より好ましくは、該切り欠き２２は、ディスク部２１の周方向に沿って等間隔に複数設けることができる。
【００１４】
図３に示すように、該ロータ２０のディスク部２１は、少なくとも前記切り欠き２２においては、前記基準底面１１に対して間隙５０を存しつつ離間されている。該間隙５０は、例えば、０．５〜１．５ｍｍとされる。
好ましくは、前記ディスク部２１は、前記切り欠き２２の回転軌跡に対応した領域以外において、前記基準底面１１と当接する当接部２３を有している。斯かる当接部２３を備えることにより、前記基準底面１１に対してディスク部２１を安定して回転させることができる。
【００１５】
図４に前記ロータを取り外した状態のＩＩ矢視図を示す。又、図５に図４におけるＶ−Ｖ線断面図を示す。
図４に示すように、前記収容部１０の基準底面１１には、前記ロータ２０における前記切り欠き２２の回転軌跡２２ａに対応した領域のうち最も下方に位置する領域（以下、最下方領域という）よりも上方に、排出口１５が設けられている。該排出口１５は、例えば、前記切り欠き２２の回転軌跡２２ａに対応した領域のうち最も上方に位置する領域（以下、最上方領域という）に形成される。
【００１６】
即ち、本実施の形態に係る薬剤カセッタ１においては、前記切り欠き２２に保持され、ロータ２０の回転に応じて周方向に搬送される薬剤は、前記排出口１５を介してカセッタ１から排出される。なお、前記排出口１５は前記ベース部材１００に形成された搬送路１２０に連通されており（図１参照）、カセッタ１から排出された薬剤は、該搬送路１２０に連通されるホッパ（図示せず）を介して分包装置（図示せず）へ供給される。
【００１７】
さらに、前記収容部１０の基準底面１１には、前記切り欠き２２の回転軌跡２２ａに対応した領域のうち、前記ロータ２０の回転方向（図４における矢印方向）を基準として、前記最下方領域と前記排出口１５との間に、前記ロータ２０へ向かって突出した凸部１８が設けられている。該凸部１８は、例えば、０．３〜１．３ｍｍの高さを有するものとされる。
好ましくは、前記凸部１８は、前記切り欠き２２の回転軌跡２２ａに対応した領域のうち、ロータの回転軸線Ｘよりも上方に位置した領域に形成される。
【００１８】
以下、斯かる構成の薬剤カセッタ１の動作について、収容する薬剤を１錠ずつ排出させる場合を例に説明する。
前記薬剤収容空間内に収容された薬剤は、重力によって、下方領域に集まり、該下方領域に位置する切り欠き２２内に入り込む。
該切り欠き２２内に入り込んだ薬剤は、該切り欠き２２と前記基準底面１１及び側面１２との共働下に保持され、ロータ２０の回転に応じて切り欠き２２の回転軌跡に沿って搬送される。即ち、切り欠き２２内の薬剤は、前記基準底面１１及び側面１２に当接した状態で、ロータ２０の回転方向に搬送される。
【００１９】
ところで、前記切り欠き２２の形状を、収容する薬剤１錠だけが入り込むように設計することは非常に困難である。特に、収容する薬剤が、偏平状の錠剤を半分に切断してなる半錠のような場合（図６参照）には、前記切り欠き２２内に入り込む際の薬剤の姿勢が一定でなく、従って、１つの切り欠きによって複数の薬剤が保持される恐れがある。
又、通常の錠剤を収容する場合であっても、薬剤同士間の摩擦等によって、切り欠き内に入り込んだ一の薬剤の上に他の薬剤が載った状態で、２個以上の薬剤が搬送される場合がある。このような場合、前記排出口１５から一の薬剤と他の薬剤との２錠が同時に排出されることになる。
【００２０】
これに対し、本実施の形態においては、前述の通り、前記基準底面１１のうち、前記切り欠き２２の回転軌跡２２ａに対応した領域に凸部１８を設けている。その為、切り欠き２２内に入り込んだ一の薬剤は、前記凸部１８を通過する際に上方へ持ち上げられ、その結果、該一の薬剤の上に載った他の薬剤はディスク部２１の傾斜に沿って下方へ滑り落ちる。
【００２１】
このように、本実施の形態においては、前記凸部１８を設けることにより、切り欠き２２内に入り込んだ一の薬剤と該一の薬剤の上に載った他の薬剤とが同時に前記排出口から排出されることを有効に防止できる。
【００２２】
なお、前記切り欠き２２の形状は、該切り欠き内に複数個の薬剤が入り込むのを防止すべく、収容する錠剤が切り欠き内に入り込む際の外形状に応じて適宜設定されるが、収容する薬剤が図６に示すような半錠の場合には、前述の通り、切り欠き内に入り込む際の薬剤の姿勢は一定にはならない。
そこで、斯かる半錠を収容する場合には、前記切り欠き２２の形状を、半錠の断面形状と半錠の平面形状とを重合させた形状とすることができ（図２参照）、これにより、切り欠き内へ１個の半錠のみを容易に入り込ませることができる。
【００２３】
又、本実施の形態においては、前記基準底面１１を薬剤収容部１０に一体的に形成した場合を例に説明したが、本発明は斯かる形態に限定されるものではない。即ち、前記基準底面１１を形成する部材を薬剤収容部の本体とは別体とし、該部材を薬剤収容部の本体に装着させることも可能である。
【００２４】
【発明の効果】
以上のように、本発明に係る薬剤カセッタによれば、薬剤収容部における傾斜された基準底面のうち，ロータに設けられた切り欠きの回転軌跡に対応した位置に、凸部を設けたので、前記切り欠きによって搬送される不要な薬剤が排出口から排出されることを有効に防止できる。
【図面の簡単な説明】
【図１】図１は、本発明の一実施の形態に係る薬剤カセッタの部分縦断側面図であり、ベース部材を介して支持架台に取り付けられている状態を示している。
【図２】図２は、図１におけるＩＩ矢視図である。
【図３】図３は、図２におけるＩＩＩ−ＩＩＩ線断面図である。
【図４】図４は、図１におけるＩＩ矢視図であり、ロータを取り外した状態を示している。
【図５】図５は、図４におけるＶ−Ｖ線断面図である。
【図６】図６（ａ）及び（ｂ）は、半錠の平面図及び正面図である。
【符号の説明】
１　　　　　　薬剤カセッタ
１０　　　　　薬剤収容部
１１　　　　　基準底面
１２　　　　　側面
１５　　　　　薬剤排出口
１８　　　　　凸部
２０　　　　　ロータ
２１　　　　　ディスク部
２２　　　　　切り欠き
【図１】
2004041432.tif 000003
【図２】
2004041432.tif 000004
【図３】
2004041432.tif 000005
【図４】
2004041432.tif 000006
【図５】
2004041432.tif 000007
【図６】
2004041432.tif 000008